【手続補正書】
【提出日】平成30年4月18日(2018.4.18)
【手続補正１】
【補正対象書類名】明細書
【補正対象項目名】０００２
【補正方法】変更
【補正の内容】
【０００２】
その種のロータホースポンプは特許文献１から知られている。特許文献１には、例えばコンクリート、モルタルやセメント、又は、泥やヘドロといった粘性物質のためのロータホースポンプを有するミキサー車が記載されている。ロータホースポンプは、ポンプホースのためのホースベッドを備えたフラットシリンダ状のポンプハウジングを有しており、ポンプホースはミキサー車において、吸引口の形態の第１の接続部を介して、材料装入容器に接続されている。ポンプホースは第２の接続部を有しており、当該第２の接続部は圧力出口として働きまた搬送ラインと接続されている。ロータホースポンプはロータを含んでおり、当該ロータは互いに直径上に並んだ２つの押圧ローラーを用いてポンプホース５をポンプハウジングのホースベッドに内側から押し付ける。従って押圧ローラーは押圧によってポンプホースを閉塞する。その際、ロータの回転によって、搬送媒体はポンプホースを通って移動する。
【手続補正２】
【補正対象書類名】特許請求の範囲
【補正対象項目名】全文
【補正方法】変更
【補正の内容】
【特許請求の範囲】
【請求項１】
ホースベッド（５２）に配設されているポンプホース（５０）を備えるロータホースポンプ（２０）にして、当該ポンプホース（５０）が、搬送媒体を第１の接続部（４０）から第２の接続部（４４）へと圧送するために、ロータ軸（７４）の周りで回転可能なロータ（７２）に収容された、少なくとも１つの、前記ポンプホース（５０）を押圧するための装置（７６、７６´）を用いて、前記ロータ（７２）の回転時にポンプホース（５０）にて移動する押圧部位（９８、９８´）で、前記ホースベッド（５２）に対して押し付けられ得る、ロータホースポンプ（２０）において、
前記ポンプホース（５０）を押圧するための前記少なくとも１つの装置（７６、７６´）は、複数の押圧ローラー（８０、８２、８４、８０´、８２´、８４´）を備えた押圧ローラーグループ（７８、７８´）を含んでおり、当該押圧ローラーグループ（７８、７８´）は少なくとも前記押圧部位（９８、９８´）にて前記ポンプホース（５０）を共同で押圧すること、
を特徴とするロータホースポンプ。
【請求項２】
請求項１に記載のロータホースポンプにおいて、
前記押圧ローラーグループ（７８、７８´）の複数の前記押圧ローラー（８０、８２、８４、８０´、８２´、８４´）は、少なくとも一部が異なる直径を有していること、
を特徴とする粘性物質用ポンプ。
【請求項３】
請求項１又は２に記載のロータホースポンプにおいて、
前記押圧ローラーグループ（７８、７８´）の前記押圧ローラー（８０、８２、８４、８０´、８２´、８４´）が回転軸（９４、９４´）を有しており、当該回転軸（９４、９４´）の間の間隔（ａ）のそれぞれが、前記押圧ローラー（８０、８２、８４、８０´、８２´、８４´）の前記回転軸（９４、９４´）の前記ロータ軸（７４）からの間隔（ｂ）よりも小さいこと、
を特徴とするロータホースポンプ。
【請求項４】
請求項１から３の何れか一項に記載のロータホースポンプにおいて、
前記押圧ローラーグループ（７８、７８´）が、少なくとも１つの、そのローラー径（Ｄｒ）が前記ポンプホース（５０）の直径（Ｄｐ）よりも小さい、押圧ローラー（８０、８２、８４、８０´、８２´、８４´）を、有していること、
を特徴とするロータホースポンプ。
【請求項５】
請求項１から４の何れか一項に記載のロータホースポンプにおいて、
前記押圧ローラーグループ（７８、７８´）が、第１の押圧ローラー（８２）、及び、前記第１の押圧ローラー（８２）と隣り合う少なくとも１つの別の押圧ローラー（８０）を有しており、前記ロータ（７２）の回転時に前記ポンプホース（５０）にて前記第１の押圧ローラー（８２）が前記少なくとも１つの別の押圧ローラー（８０）に先行し、また、前記第１の押圧ローラー（８２）が、前記少なくとも１つの別の押圧ローラー（８０）よりも小さいローラー径（ＤＲ）を有していること、
を特徴とするロータホースポンプ。
【請求項６】
請求項１から５の何れか一項に記載のロータホースポンプにおいて、
前記押圧ローラーグループ（７８、７８´）の前記押圧ローラー（８０、８２、８４、８０´、８２´、８４´）が、前記ポンプホース（５０）を押圧するためのローラー周面（８８、８８´）にして、前記ロータ軸（７４）に対して垂直な回転平面にある円周ライン（９０、９０´）に、円周ラインの中心（９２、９２´）へ向かう側で、接線的に当接するローラー周面（８８、８８´）を有していること、
を特徴とするロータホースポンプ。
【請求項７】
請求項１から６の何れか一項に記載のロータホースポンプにおいて、
前記ポンプホース（５０）を押圧するための前記装置が、前記ロータ（７２）にて可動的に変位可能に配設されているローラー保持部（１１４）を含んでおり、当該ローラー保持部（１１４）には少なくとも１つの押圧ローラー（８０、８２、８４）が回転可能に支持されていること、
を特徴とするロータホースポンプ。
【請求項８】
ホースベッド（５２）に配設されているポンプホース（５０）を備えるロータホースポンプ（２０）にして、当該ポンプホース（５０）は、搬送媒体を第１の接続部（４０）から第２の接続部（４４）へと圧送するために、ロータ軸（７４）の周りで回転可能なロータ（７２）に収容された、少なくとも１つの、前記ポンプホース（５０）を押圧するための装置（７６）を用いて、前記ロータ（７２）の回転時にポンプホース（５０）にて移動する押圧部位（９８、９８´）で、前記ホースベッド（５２）に対して押し付けられ得る、ロータホースポンプ（２０）において、
前記ポンプホース（５０）を押圧するための前記装置（７６）は、前記ロータ（７２）にて可動的に変位可能に配設された少なくとも１つのローラー保持部（１１４）を含んでおり、前記ローラー保持部（１１４）は、前記ローラー保持部（１１４）にて可動的に支持されている少なくとも１つの押圧ローラー（８０、８２、８４）を備えていること、
を特徴とするロータホースポンプ。
【請求項９】
請求項７又は８に記載のロータホースポンプにおいて、
前記ローラー保持部（１１４）が、前記少なくとも１つの押圧ローラー（８０、８２、８４）の前記ロータ軸（７４）からの距離（ｂ）を変化させながら、変位可能であること、
を特徴とするロータホースポンプ。
【請求項１０】
請求項９に記載のロータホースポンプにおいて、
前記ローラー保持部（１１４）が前記ロータ（７２）にて確動的に案内されていること、及び／又は、前記ローラー保持部（１１４）が互いに異なる２つの運動自由度（ｘ、ｙ）で前記ロータ（７２）にて変位可能であること、
を特徴とするロータホースポンプ。
【請求項１１】
請求項８から１０の何れか一項に記載のロータホースポンプにおいて、
前記ロータ（７２）が回転運動する際に前記ローラー保持部（１１４）にて回転可能に支持されている前記少なくとも１つの押圧ローラー（８０、８２、８４）を前記ポンプホース（５０）に対して押し付ける（力ＦＫ）で前記ローラー保持部（１１４）を作用させるための、前記ロータ（７２）にて支持されている力発生手段（１１８、１１８´）、
を特徴とするロータホースポンプ。
【請求項１２】
請求項１１に記載のロータホースポンプにおいて、
前記ロータ（７２）が回転運動する際に前記少なくとも１つの押圧ローラー（８０、８２、８４）を前記ポンプホース（５０）に対して押し付ける前記力（ＦＫ）が、調整可能であること、
を特徴とするロータホースポンプ。
【請求項１３】
請求項１１又は１２に記載のロータホースポンプにおいて、
前記力発生手段（１１８、１１８´）が、前記ローラー保持部（１１４）の移動により前記ロータ（７２）で弾性変形可能なエネルギー貯蔵部（１２３）を、含んでいること、
を特徴とするロータホースポンプ。
【請求項１４】
請求項１１から１３の何れか一項に記載のロータホースポンプにおいて、
前記力発生手段（１１８、１１８´）が、ハイドロニューマチック・サスペンションシステム（１３０）を含んでおり、当該ハイドロニューマチック・サスペンションシステム（１３０）は、前記ローラー保持部（１１４）と運動連結されまた前記ロータ（７２）にて支持されている液圧シリンダ（１２７）を、備えていること、
を特徴とするロータホースポンプ。
【請求項１５】
粘性物質を搬送するために形成された、特にはコンクリートを搬送するために形成された、請求項１から１４の何れか一項に記載のロータホースポンプ（２０、１２０、２２０、３２０、４２０）を有するミキサー車。